(57)【要約】【課題】  冷凍能力の悪化や消費電力量の増加を伴わず、且つ安価にて、引出し代を最大限に延長することができる引出し式扉を備えた冷蔵庫を提供すること。【解決手段】  野菜室扉５を引出し自在とした一対の２段フレーム１９と、２段フレーム１９を構成し、前端部が野菜室扉５に固定され、少なくとも２個の上側フレーム固定ローラを有する上側フレーム１４と、この上側フレーム１４と共に２段フレーム１９を構成し、ローラ稼動部と、下側フレーム固定ローラと、本体固定ローラ滑走面と、ストッパ部とを有する下側フレーム１６と、野菜室壁に設けられ、下側フレーム１６の本体固定ローラ滑走面が滑走し、野菜室扉５の全開状態で下側フレーム１４のストッパ部に当接する本体固定ローラ１２と、野菜室壁に設けられ、下側フレーム固定ローラが稼動する本体固定レール１３と、上側フレーム１６で下部を支持する食品収納ケースとを備えたことを特徴とする。【選択図】        図５
2007046837.tif 000002
【特許請求の範囲】
【請求項１】
冷蔵庫本体と、
この冷蔵庫本体内に形成された貯蔵室と、
この貯蔵室の前面開口部を開閉する扉と、
この扉の左右から前記貯蔵室内に延設し、前記扉を引出し自在とした一対の２段フレームと、
この２段フレームを構成し、前端部が前記扉に固定され、所定の間隔で配置された少なくとも２個の上側フレーム固定ローラを有する上側フレームと、
この上側フレームと共に前記２段フレームを構成し、前記上側フレーム固定ローラが所定距離の範囲内で稼動するローラ稼動部と、後部に取り付けられた下側フレーム固定ローラと、底部に形成された本体固定ローラ滑走面と、この本体固定ローラ滑走面の後部に設けられたストッパ部とを有する下側フレームと、
前記貯蔵室壁に設けられ、前記下側フレームの本体固定ローラ滑走面が滑走し、前記扉の全開状態で前記下側フレームのストッパ部に当接する本体固定ローラと、
前記貯蔵室壁に設けられ、前記下側フレーム固定ローラが稼動する本体固定レールと、
前記上側フレームで支持し、前記扉引出し時に前記貯蔵室より引出される食品収納ケースとを備えたことを特徴とする冷蔵庫。
【請求項２】
前記２段フレームを、前記貯蔵室側壁面と前記食品収納ケース側壁外面との間に設けたことを特徴とする請求項１に記載の冷蔵庫。
【請求項３】
前記下側フレームのローラ稼動部のローラ滑走面の、前記扉全閉時に前記上側フレーム固定ローラの中の少なくとも前記扉に近い側の一つの直下となる位置に、落とし込み形状部を設けたことを特徴とする請求項１又は請求項２に記載の冷蔵庫。
【請求項４】
前記上側フレーム固定ローラの中の、少なくとも前記扉に近い側の一つをベアリング構造にしたことを特徴とする請求項１乃至３のいずれかに記載の冷蔵庫。
【発明の詳細な説明】
【技術分野】
【０００１】
この発明は、冷蔵庫に関するもので、特に冷凍能力の悪化や消費電力量の増加を伴わず、引出し代を最大限に延長することができる引出し式扉を備えた冷蔵庫に関するものである。
【背景技術】
【０００２】
扉の引出し量と冷却器の表面積を十分確保し、作業効率がよく、加工費、材料費共に安価な冷蔵庫を提供するために、冷却器室の周囲壁の左右には、冷凍室扉を引出し開閉させるための固定レール収納用凹部を一体に設け、また冷却器室の周囲壁の左右には冷凍室扉を引出し開閉させるための可動レール収納用窪み部を後方に延びるように一体に設け、かつ、冷却器室と冷凍室を仕切るべく周囲壁には可動レール収納用窪み部の一壁を構成する可動レール収納用仕切り壁を一体に設けた冷蔵庫が知られている（例えば、特許文献１参照）。
【特許文献１】特開平１１−９４４４９号公報
【発明の開示】
【発明が解決しようとする課題】
【０００３】
従来の冷蔵庫は、冷凍室扉等の引出扉の引出し代は、冷凍室等の両側壁面に設けた凹形状レール構造の奥行方向の長さにより冷凍室扉等の引出し代が決定される。構造を変えないで、冷凍室扉等の引出し代を増加させるには、凹形状レール構造の奥行方向の長さを増加することにより可能となるが、その場合、断熱箱体の背面の断熱材の厚さが減少し、冷蔵庫背面の結露が懸念される。
【０００４】
また、冷却器室への凸形状可動フレーム収納部の設置は、冷却器室ならびに冷却器単体の幅を縮小せざるを得ない可能性が大きく、冷却器の熱交換量が低下し、冷凍能力の低下が懸念される。
【０００５】
さらに、冷却器室左右側面には冷気風路が設置されており、冷気風路を凸形状可動フレーム収納部に合わせた風路形状に変更せざるを得なく、冷気風路の形状変更により冷気風路内部抵抗が増加し、冷却不足・冷却時間延長による圧縮機運転時間延長となり、消費電力量増加のおそれがある。
【０００６】
この場合、冷凍能力の低下を回避するため、冷蔵庫の両側面ウレタン内部への真空断熱材封入により、外部からの熱浸入量を低減し冷凍能力の回復、圧縮機運転時間の短縮を図ることが可能となるが、生産コストの増加による製品価格の増加を伴う。
【０００７】
この発明は、上記のような課題を解決するためになされたもので、冷凍能力の悪化や消費電力量の増加を伴わず、且つ安価にて、引出し代を最大限に延長することができる引出し式扉を備えた冷蔵庫を提供することを目的とする。
【課題を解決するための手段】
【０００８】
この発明に係る冷蔵庫は、冷蔵庫本体と、この冷蔵庫本体内に形成された貯蔵室と、この貯蔵室の前面開口部を開閉する扉と、この扉の左右から貯蔵室内に延設し、扉を引出し自在とした一対の２段フレームと、この２段フレームを構成し、前端部が扉に固定され、所定の間隔で配置された少なくとも２個の上側フレーム固定ローラを有する上側フレームと、この上側フレームと共に２段フレームを構成し、上側フレーム固定ローラが所定距離の範囲内で稼動するローラ稼動部と、後部に取り付けられた下側フレーム固定ローラと、底部に形成された本体固定ローラ滑走面と、この本体固定ローラ滑走面の後部に設けられたストッパ部とを有する下側フレームと、貯蔵室壁に設けられ、下側フレームのローラ滑走面が滑走し、扉の全開状態で下側フレームのストッパ部に当接する本体固定ローラと、貯蔵室壁に設けられ、下側フレーム固定ローラが稼動する本体固定レールと、上側フレームで支持し、扉引出し時に貯蔵室より引出される食品収納ケースとを備えたことを特徴とする。
【発明の効果】
【０００９】
この発明に係る冷蔵庫は、上記構成により、冷凍能力の悪化や消費電力量の増加を伴わず、且つ安価にて、扉の引出し代を最大限に延長することができる。
【発明を実施するための最良の形態】
【００１０】
実施の形態１．
図１乃至６は実施の形態１を示す図で、図１は冷蔵庫の冷蔵室を省略した側面縦断面図（（ａ）は野菜室扉５と冷凍室扉６が全開状態の図、（ｂ）は野菜室扉５と冷凍室扉６が全閉状態の図）、図２は上側フレーム１４の斜視図（（ａ）、（ｂ）は見る方向が異なる）、図３は下側フレーム１６の斜視図（（ａ）、（ｂ）は見る方向が異なる、（ｃ）は上側フレーム１４を下側フレーム１６に挿入した図）、図４は２段フレーム１９の組立詳細図、図５は野菜室扉５の引出動作を示す図、図６は冷蔵庫の部分的な正面縦断面図である。
【００１１】
図１に示すように、冷蔵庫本体１は、その内部に下から、冷凍室２（貯蔵室の一例）、野菜室３（貯蔵室の一例）、製氷室・切替室４、冷蔵室（図示せず）を有している。利用頻度の高い冷蔵室、製氷室・切替室４、野菜室３を使い勝手の良い位置に設けている。
【００１２】
また、図１に示す野菜室３の内部を構成する野菜室上段容器３ａ（食品収納ケースの一例）、野菜室下段容器３ｂ（食品収納ケースの一例）、及び冷凍室２の内部を構成する冷凍室上段容器２ａ（食品収納ケースの一例）、冷凍室下段容器２ｂ（食品収納ケースの一例）は、それぞれ後述する引出し式の野菜室扉５、及び冷凍室扉６の開閉に連動して引出されるものである。
【００１３】
野菜室３には、その前面開口部に開閉自在に取付けられる引出し式の野菜室扉５（扉の一例）が設けられる。野菜室扉５の裏面に、後述する左右対称の一対の２段フレーム１９が取り付けられ、これらの一対の２段フレーム１９は補強部材で補強されて全体が略コ字状（上から見て）を成している。この補強部材で補強された一対の２段フレーム１９の上に、野菜室上段容器３ａ、野菜室下段容器３ｂを載置している。
【００１４】
冷凍室２にも、その前面開口部を開閉自在に塞ぐように取付けられる引出し式の冷凍室扉６（扉の一例）が設けられる。冷凍室扉６の裏面にも、後述する左右対称の一対の２段フレーム１９が取り付けられ、これらの一対の２段フレーム１９は補強部材で補強されて全体が略コ字状（上から見て）を成している。この補強部材で補強された一対の２段フレーム１９の上に、冷凍室上段容器２ａ、冷凍室下段容器２ｂを載置している。
【００１５】
冷蔵庫本体１は、図示しない外箱と内箱７との間に断熱材を設けて、庫内と冷蔵庫本体１外部との間を断熱している。
【００１６】
冷凍室２及び野菜室３の背部に、仕切板であるファングリル８があり、このファングリル８の背部を冷却器室９としている。冷却器室９には、冷凍サイクルの冷媒と空気が熱交換して冷気を生成する冷却器１０と、冷却器１０で生成された冷気を庫内に送風するファン１１とがある。
【００１７】
また、冷蔵庫本体１の内箱７に、本体固定ローラ１２が設けられ、本体固定ローラ１２上を２段フレーム１９が摺動する。また、内箱７に本体固定レール１３が設けられ、２段フレーム１９のローラが稼動する。
【００１８】
図２は、一対の２段フレーム１９の中の、冷蔵庫本体１の正面から見て左側の２段フレーム１９を構成する上側フレーム１４の斜視図で、（ａ）と（ｂ）は見る方向が異なる。冷蔵庫本体１の正面から見て右側の２段フレーム１９を構成する上側フレーム１４は、図２に示すものと左右対称なので図示は省略する。図２に示すように、上側フレーム１４は、全体が細長い平板状で、両端部が屈曲している。そして、長手方向に所定間隔を有して位置する上側フレーム固定ローラ１５を少なくとも２個備える（図２の例では、２個）。上側フレーム１４の扉側端部は、略直角に内側に屈曲し、その屈曲部が扉への取付部１４ａとなる。上側フレーム１４は扉への取付部１４ａにより、扉にネジ等により固定される。
【００１９】
図３は、一対の２段フレーム１９の中の、冷蔵庫本体１の正面から見て左側の２段フレーム１９を構成する下側フレーム１６の斜視図で、（ａ）と（ｂ）は見る方向が異なる。（ｃ）は上側フレーム１４を下側フレーム１６に挿入した２段フレーム１９の後部斜視図である。
【００２０】
図３（ａ）に示すように、下側フレーム１６は、全体が細長い平板状で、本体固定レール１３（図１）内を稼動する下側フレーム固定ローラ１７をその後部に有する。また、本体固定ローラ１２上を滑走する本体固定ローラ滑走面１６ｇの後部に、本体固定ローラ１２に当接するストッパ部１６ａが形成されている。さらに、下側フレーム１６の上部には、上側フレーム１４の上側フレーム固定ローラ１５が稼動する、断面が略コ字状のローラ稼動部１８を備える。ローラ稼動部１８の上側フレーム固定ローラ１５が稼動する面をローラ滑走面１６ｄとする。そして、このローラ稼動部１８の後部には、上側フレーム固定ローラ１５が当接する後部ストッパ部１６ｃが形成されている。図３（ｃ）は、上側フレーム１４を下側フレーム１６に挿入し、上側フレーム固定ローラ１５が後部ストッパ部１６ｃに当接した状態を示している。
【００２１】
また、図３（ｂ）に示すように、下側フレーム１６のローラ稼動部１８の前部には上側フレーム固定ローラ１５が当接する前部ストッパ部１６ｂが形成されている。
【００２２】
図４に示すように、下側フレーム１６の後部ストッパ部１６ｃが形成される前に、下側フレーム１６のローラ稼動部１８の後部から上側フレーム固定ローラ１５をローラ稼動部１８に挿入し、上側フレーム１４が下側フレーム１６に挿入される。その後で、後部ストッパ部１６ｃを、例えば切り起こしで形成して、２段フレーム１９が完成する。
【００２３】
上側フレーム固定ローラ１５が、図２のように２個あるとすると、上側フレーム１４は、前部ストッパ部１６ｂと後部ストッパ部１６ｃとの距離と、２個の上側フレーム固定ローラ１５間の距離との差だけ、下側フレーム１６内を移動できることになる。
【００２４】
図５により、野菜室扉５を例に、引出動作を説明する。図５（ａ）は野菜室扉５全閉時、図５（ｂ）は野菜室扉５中間開時、図５（ｃ）は野菜室扉５全開時を示す。
【００２５】
野菜室扉５が全閉状態から中間開状態へ移行する動作は（図５（ａ）から図５（ｂ）へ）、野菜室扉５が冷蔵庫本体１前方へ引き出されると同時に、２段フレーム１９も同時に引き出される。そして、下側フレーム１６のストッパ部１６ａが、本体固定ローラ１２に当たるまで引き出される。
【００２６】
野菜室扉５が中間開状態から全開状態へ移行する動作は（図５（ｂ）から図５（ｃ）へ）、２段フレーム１９の下側フレーム１６が、ストッパ部１６ａによりそれ以上前方へ移動出来なくなった後に、上側フレーム１４に取付られた上側フレーム固定ローラ１５が下側フレーム１６に設けられたローラ稼動部１８内を前方に移動し、野菜室扉５を更に上側フレーム固定ローラ１５が下側フレーム１６に設置された前部ストッパ部１６ｂに当るまで移動する。
【００２７】
野菜室扉５を閉じる動作としては、先ず図５（ｃ）の全開状態から図５（ｂ）の中間開状態へ移行するが、野菜室扉５を冷蔵庫本体１後方へ移動すると同時に、上側フレーム１４に取り付けられた上側フレーム固定ローラ１５が下側フレーム１６に設けられたローラ稼動部１８内を後方に移動し、上側フレーム１４に取り付けられた上側フレーム固定ローラ１５が下側フレーム１６に設けられた後部ストッパ部１６ｃに当接する。それと同時に下側フレーム１６が後方移動を開始し、野菜室扉５が閉まり、図５（ａ）の全閉状態となる。
【００２８】
すなわち、上側フレーム１４と下側フレーム１６とを組合せ、奥行き方向に長さが伸縮する２段フレーム１９とすることにより、野菜室扉５や冷凍室扉６全閉時の２段フレーム１９の奥行き方向の収納スペースを小さくすることが可能であり、従来例の様に冷却器室９ならびに冷却器１０の幅寸法や奥行方向の断熱厚さを脅かすことなく、野菜室扉５や冷凍室扉６全開時の引出代を最大限に延長することが可能である。
【００２９】
また、上側フレーム固定ローラ１５の取付位置を変更することにより、容易に引出代を変更することが可能となり、引出代の調整自由度が大きい。例えば、２個の上側フレーム固定ローラ１５を使用する場合、２個の上側フレーム固定ローラ１５間の距離を短くすれば、野菜室扉５や冷凍室扉６の引出代は大きくなる。その反対に、２個の上側フレーム固定ローラ１５間の距離を長くすれば、野菜室扉５や冷凍室扉６の引出代は小さくなる。
【００３０】
また、２段フレーム１９にて、野菜室扉５や冷凍室扉６の開閉動作時に、先行動作するフレームは上側フレーム１４あるいは下側フレーム１６のどちらでも良い。
【００３１】
図６に示すように、野菜室扉５に取り付ける上側フレーム固定ローラ１５が取り付けられた上側フレーム１４と、上側フレーム１４が挿入される下側フレーム１６とで構成される２段フレーム１９を、野菜室３の内箱７の側壁面と、野菜室３の野菜室下段容器３ｂ（食品収納ケース）側壁外面との間に設けた。
【００３２】
図示はしないが、冷凍室扉６に取り付ける２段フレーム１９も同じように、冷凍室２の内箱７の側壁面と、冷凍室２の冷凍室下段容器２ｂ（食品収納ケース）側壁外面との間に設けた。
【００３３】
図６のように構成することにより、野菜室下段容器３ｂ等の食品収納ケース外壁面と内箱７側面間とのデッドスペースを活用することが可能であり、食品収納ケース容量を低減することなく、冷却器室９ならびに冷却器１０の幅寸法や奥行方向の断熱厚さを脅かすことなく、野菜室扉５や冷凍室扉６全開時の引出代を最大限に延長することが可能になる。
【００３４】
また、図６に示すように、野菜室扉５や冷凍室扉６の左右方向のがたつき防止のため、上側フレーム１４と下側フレーム１６の左右方向のクリアランス部にプラスチック製のスペーサ２０を設けても良い。このスペーサ２０は、上側フレーム１４と下側フレーム１６との金属面同士の接触による削り粉の発生を抑制し、塗装した場合の塗装膜剥がれ・削れの防止、引出動作時の摺動抵抗低減に効果がある。
【００３５】
また、下側フレーム１６のローラ稼動部１８のローラ滑走面１６ｄ上に凸形状のレール部を設け、相対する上側フレーム固定ローラ１５の外周面に凸形状に対応する凹形状を設けてもよい。それにより、扉開閉時の左右ガタツキを抑制することができる。
【００３６】
また、金属の端部や、上側フレーム１４及び下側フレーム１６が摺動する際の直角部に、容易に手の触れる恐れのある箇所に、プラスチック製カバーを設置してもよい。
【００３７】
プラスチック製カバーを設置することにより怪我防止を図ることが可能となり、また、扉閉時の衝撃緩衝材の役目も担う。また、プラスチック製カバーにスペーサ機能を付加してもよい。
【００３８】
実施の形態２．
図７乃至９は実施の形態２を示す図で、図７は下側フレーム１６の構成を示す図、図８，９は下側フレーム１６のストッパ部１６ａを示す図である。
【００３９】
図７に示すように、下側フレーム１６に設けたローラ稼動部１８のローラ滑走面１６ｄに、上側フレーム固定ローラ１５の落とし込み形状部２１を設ける。落とし込み形状部２１の位置は、野菜室扉５や冷凍室扉６の全閉時に、上側フレーム固定ローラ１５が２個ある場合は、最前部の上側フレーム固定ローラ１５の直下となる位置が好ましい。２個の上側フレーム固定ローラ１５に対し、それぞれ落とし込み形状部２１を設けてもよい。
【００４０】
本実施の形態２の如く構成した場合、野菜室扉５や冷凍室扉６の閉動作において、上側フレーム１４が下側フレーム１６に対して後行動作をした場合でも、扉全閉位置における扉の自閉動作が確実となり、半ドア等の冷却不良の要因を少なくすることができる。
【００４１】
また、下側フレーム１６に設けられた自閉用スロープ２２に対し、落とし込み形状部２１の角度を大きく取れば、開方向時の動作を下側フレーム１６を先行フレームとすることが可能となり、扉の開動作の規則性を持たせ、左右の２段フレーム１９の同期を取ることにより、余分なストレスを回避することが可能となる。
【００４２】
また、図８に示すように、下側フレーム１６のストッパ部１６ａに、若干下方向に突出した凸形状部１６ｅを設けることにより、扉閉方向の動作において、凸形状部１６ｅが本体固定ローラ１２に係合して上側フレーム１４を先行フレームとすることが可能であり、扉閉動作の規則性を持たせ、左右の２段フレーム１９の同期を取ることにより、余分なストレスを回避することが可能となり、閉方向動作時の先行動作フレームを上側フレーム１４に決定することにより、安定した扉閉動作が可能となる。
【００４３】
また、図９に示すように、ストッパ部１６ａから前部に向かって下がる傾斜面１６ｆを設けることにより、扉全開時の２段フレーム１９の全体位置が下がり、冷凍室２の冷凍室上段容器２ａ及び野菜室３の野菜室上段容器３ａと内箱７（中仕切）とのクリアランスを保つことが可能となり、接触による削れ等を回避することが可能となる。また、図８のストッパ部１６ａよりも、開閉動作時の衝撃を緩和でき、よりスムーズな開閉動作が可能となる。
【００４４】
実施の形態３．
図１０は実施の形態３を示す図で、ベアリング構造のローラの断面構造を示す図である。
【００４５】
図１０に示す上側フレーム固定ローラ１５は、内部にベアリング１５ａを有し、その外周部にフレームとの接触部１５ｂを有する。
【００４６】
上側フレーム１４に設けた２個以上の上側フレーム固定ローラ１５の、少なくとも最前部あるいは全部をベアリング１５ａを有する構造にしたことを特徴としている。
【００４７】
図１０の如く構成した場合、上側フレーム固定ローラ１５の回転摺動時の抵抗を低減することが出来、扉開閉動作がよりスムーズに実施することが可能となる。
【図面の簡単な説明】
【００４８】
【図１】実施の形態１を示す図で、冷蔵庫の冷蔵室を省略した側面縦断面図（（ａ）は野菜室扉５と冷凍室扉６を全開状態の図、（ｂ）は野菜室扉５と冷凍室扉６を全閉状態の図）である。
【図２】実施の形態１を示す図で、上側フレーム１４の斜視図（（ａ）、（ｂ）は見る方向が異なる）である。
【図３】実施の形態１を示す図で、下側フレーム１６の斜視図（（ａ）、（ｂ）は見る方向が異なる、（ｃ）は上側フレーム１４を下側フレーム１６に挿入した図）である。
【図４】実施の形態１を示す図で、２段フレーム１９の組立詳細図である。
【図５】実施の形態１を示す図で、野菜室扉５の引出動作を示す図である。
【図６】実施の形態１を示す図で、冷蔵庫の部分的な正面縦断面図である。
【図７】実施の形態２を示す図で、下側フレーム１６の構成を示す図である。
【図８】実施の形態２を示す図で、下側フレーム１６のストッパ部１６ａを示す図である。
【図９】実施の形態２を示す図で、下側フレーム１６のストッパ部１６ａを示す図である。
【図１０】実施の形態３を示す図で、ベアリング構造のローラの断面構造を示す図である。
【符号の説明】
【００４９】
１  冷蔵庫本体、２  冷凍室、２ａ  冷凍室上段容器、２ｂ  冷凍室下段容器、３  野菜室、３ａ  野菜室上段容器、３ｂ  野菜室下段容器、４  製氷室・切替室、５  野菜室扉、６  冷凍室扉、７  内箱、８  ファングリル、９  冷却器室、１０  冷却器、１１  ファン、１２  本体固定ローラ、１３  本体固定レール、１４  上側フレーム、１４ａ  扉への取付部、１５  上側フレーム固定ローラ、１５ａ  ベアリング、１５ｂ  フレームとの接触部、１６  下側フレーム、１６ａ  ストッパ部、１６ｂ  前部ストッパ部、１６ｃ  後部ストッパ部、１６ｄ  ローラ滑走面、１６ｅ  凸形状部、１６ｆ  傾斜面、１６ｇ  本体固定ローラ滑走面、１７  下側フレーム固定ローラ、１８  ローラ稼動部、１９  ２段フレーム、２０  スペーサ、２１  落とし込み形状部、２２  自閉用スロープ。
【図１】
2007046837.tif 000003
【図２】
2007046837.tif 000004
【図３】
2007046837.tif 000005
【図４】
2007046837.tif 000006
【図５】
2007046837.tif 000007
【図６】
2007046837.tif 000008
【図７】
2007046837.tif 000009
【図８】
2007046837.tif 000010
【図９】
2007046837.tif 000011
【図１０】
2007046837.tif 000012